(57)【要約】【課題】レンズ鏡筒の着脱の際に、レンズ鏡筒が保護バーと接触しないような撮像装置を提供する。【解決手段】本発明の撮像装置（１）は、レンズ鏡筒（２０）が着脱可能な撮像装置（１）であって、被写体光を受光して被写体像を撮像する撮像部（３１）と、前記撮像部（３１）よりも前記レンズ鏡筒（２０）側に配置されるとともに、前記撮像部（３１）に受光される被写体光が透過可能な保護カバー（４０）と、前記撮像部（３１）と前記保護カバー（４０）を介して、前記撮像装置（１）内に密閉空間を形成する筐体（３５）と、前記撮像部（３１）、前記保護カバー（４０）及び前記筐体（３５）により形成された前記密閉空間の密閉状態を維持したまま、前記保護カバー（４０）を、第１の位置と前記第１の位置より光軸に沿って前記撮像部（３１）側に移動した第２の位置との間で移動させる移動機構（５０）と、を備えることを特徴とする。【選択図】図１
2010161569.tif 000002
【特許請求の範囲】
【請求項１】
レンズ鏡筒が着脱可能な撮像装置であって、
被写体光を受光して被写体像を撮像する撮像部と、
前記撮像部よりも前記レンズ鏡筒側に配置されるとともに、前記撮像部に受光される被写体光が透過可能な保護カバーと、
前記撮像部と前記保護カバーを介して、前記撮像装置内に密閉空間を形成する筐体と、
前記撮像部、前記保護カバー及び前記筐体により形成された前記密閉空間の密閉状態を維持したまま、前記保護カバーを、第１の位置と前記第１の位置より光軸に沿って前記撮像部側に移動した第２の位置との間で移動させる移動機構と、
を備えることを特徴とする撮像装置。
【請求項２】
請求項１に記載の撮像装置であって、
前記レンズ鏡筒の前記撮像装置に対する装着状態を検知する検知部と、
前記検知部により前記レンズ鏡筒の非装着状態が検知された場合、又は前記レンズ鏡筒の取り外し動作開始が検知された場合、前記保護カバーを前記第２の位置に配置し、前記検知部により前記レンズ鏡筒の装着が検知された場合、前記保護カバーを第１の位置に配置する制御部と、を備えること、
を特徴とする撮像装置。
【請求項３】
請求項２に記載の撮像装置であって、
前記保護カバーが前記筐体に対して、可撓性部材を介して取り付けられていること、
を特徴とする撮像装置。
【請求項４】
請求項２又は３に記載の撮像装置であって、
前記移動機構は、一端に前記保護カバーが取り付けられ、他端と前記筐体との間に付勢部材が配置されるとともに支点を中心に回転可能な移動部材を備え、
前記検知部が前記レンズ鏡筒の非装着を検知すると、前記付勢部材の付勢力により、前記移動部材が前記支点を中心にして、該移動部材の前記他端が前記筐体から離間する方向に回転することにより、前記一端が前記保護カバーを前記筐体の内部に押し込むこと、
を特徴とする撮像装置。
【請求項５】
請求項４に記載の撮像装置であって、
前記保護カバーが、前記光軸に対して垂直を保ちつつ前記第１の位置と前記第２の位置との間を移動するように保持するガイド部材を備えること、
を特徴とする撮像装置。
【発明の詳細な説明】
【技術分野】
【０００１】
本発明は、被写体像を撮像する撮像装置に関するものである。
【背景技術】
【０００２】
レンズ交換式デジタルカメラ等の撮像装置は、一般に撮影レンズ着脱の際にカメラ本体の内部空間が外部に晒される構造を有している。このため、外部からカメラ本体の内部空間に侵入する塵埃が、撮像部に付着するという問題が生じる。この塵埃付着を防止するため、撮影者側の撮像素子と被写体側のマウント近傍に配置された透明な保護カバーとを壁部として含む筐体で密閉空間を形成し、カメラ本体外部から進入する塵埃の撮像部への付着を防止するようにしたものがある（例えば、特許文献１参照）。
【先行技術文献】
【特許文献】
【０００３】
【特許文献１】特開２０００−２４１８６９号公報
【発明の概要】
【発明が解決しようとする課題】
【０００４】
しかし、上記従来技術は、保護カバーがマウント近傍に配置されているため、撮影レンズを交換する際に、レンズ鏡筒のレンズ側マウント部が保護カバーに接触する可能性がある。
【０００５】
本発明の課題は、レンズ鏡筒の着脱の際に、レンズ鏡筒が保護カバーと接触しないような撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、レンズ鏡筒（２０）が着脱可能な撮像装置（１）であって、被写体光を受光して被写体像を撮像する撮像部（３１）と、前記撮像部（３１）よりも前記レンズ鏡筒（２０）側に配置されるとともに、前記撮像部（３１）に受光される被写体光が透過可能な保護カバー（４０）と、前記撮像部（３１）と前記保護カバー（４０）を介して、前記撮像装置（１）内に密閉空間を形成する筐体（３５）と、前記撮像部（３１）、前記保護カバー（４０）及び前記筐体（３５）により形成された前記密閉空間の密閉状態を維持したまま、前記保護カバー（４０）を、第１の位置と前記第１の位置より光軸に沿って前記撮像部（３１）側に移動した第２の位置との間で移動させる移動機構（５０）と、を備えることを特徴とする撮像装置（１）である。
請求項２に記載の発明は、請求項１に記載の撮像装置（１）であって、前記レンズ鏡筒（２０）の前記撮像装置（１）に対する装着状態を検知する検知部（１８）と、前記検知部（１８）により前記レンズ鏡筒（２０）の非装着状態が検知された場合、又は前記レンズ鏡筒（２０）の取り外し動作開始が検知された場合、前記保護カバー（４０）を前記第２の位置に配置し、前記検知部（１８）により前記レンズ鏡筒（２０）の装着が検知された場合、前記保護カバー（４０）を第１の位置に配置する制御部（８１，８５）と、を備えること、を特徴とする撮像装置（１）である。
請求項３に記載の発明は、請求項２に記載の撮像装置（１）であって、前記保護カバー（４０）が前記筐体（３５）に対して、可撓性部材（４３）を介して取り付けられていること、を特徴とする撮像装置（１）である。
請求項４に記載の発明は、請求項２又は３に記載の撮像装置（１）であって、前記移動機構（５０）は、一端に前記保護カバー（４０）が取り付けられ、他端と前記筐体（３５）との間に付勢部材（５２）が配置されるとともに支点を中心に回転可能な移動部材（５１）を備え、前記検知部（１８）が前記レンズ鏡筒（２０）の非装着を検知すると、前記付勢部材（５２）の付勢力により、前記移動部材（５１）が前記支点を中心にして、該移動部材（５１）の前記他端が前記筐体（３５）から離間する方向に回転することにより、前記一端が前記保護カバー（４０）を前記筐体（３５）の内部に押し込むこと、を特徴とする撮像装置（１）である。
請求項５に記載の発明は、請求項４に記載の撮像装置（１）であって、前記保護カバー（４０）が、前記光軸に対して垂直を保ちつつ前記第１の位置と前記第２の位置との間を移動するように保持するガイド部材（９１）を備えること、を特徴とする撮像装置（１）である。
【０００７】
なお、符号を付して説明した構成は、適宜改良してもよく、また、少なくとも一部を他の構成物に代替してもよい。
【発明の効果】
【０００８】
本発明によれば、レンズ鏡筒の着脱の際に、レンズ鏡筒が保護カバーと接触しないような撮像装置を提供できる。
【図面の簡単な説明】
【０００９】
【図１】本発明の第１実施形態のカメラ全体の断面図であり、保護カバーがセット状態にある場合を示す。
【図２】本発明の第１実施形態のカメラ全体の断面図であり、保護カバーが退避状態にある場合を示す。
【図３】第１実施形態における移動機構を示す分解斜視図である。
【図４】保護カバーのセット状態にある場合を示す撮像ボックスの横断面図である。
【図５】保護カバーの退避状態にある場合を示す撮像ボックスの横断面図である。
【図６】第１実施形態の動作を行うための構成を示すブロック図である。
【図７】第１実施形態のカメラの動作を示すフローチャートである。
【図８】本発明の第２実施形態の撮像ボックスを示す横断面図である。
【発明を実施するための形態】
【００１０】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１１】
（第１実施形態）
図１は、本発明の第１実施形態におけるレンズ鏡筒２０を装着した状態のカメラ１の縦断面図、図２は、レンズ鏡筒２０を取り外した状態のカメラ１の縦断面図である。カメラ１は、レンズ交換式のカメラであって、カメラ本体１０と、カメラ本体１０に対して着脱可能なレンズ鏡筒２０とにより構成されている。レンズ鏡筒２０は、その内部に撮影レンズ２１を備える。
【００１２】
カメラ本体１０はカメラ側マウント部１０Ｍを備え、レンズ鏡筒２０はレンズ側マウント部２０Ｍを備える。カメラ側マウント部１０Ｍとレンズ側マウント部２０Ｍとの結合によって、レンズ鏡筒２０は光軸Ａを一致させた状態でカメラ本体１０に装着される。これにより、カメラ本体１０に対してレンズ鏡筒２０が着脱可能となり、撮影対象に応じて焦点距離や機能などの異なる種種のレンズ鏡筒を交換して用いることができる。カメラ側でマウント部１０Ｍには結合時にレンズ側マウント部２０Ｍと光軸方向に当接する、基準面１０Ｍ−aがある。
【００１３】
カメラ本体１０は、外側のカメラ筐体１１の内部に撮像ボックス３０が配置された構造となっている。カメラ側マウント部１０Ｍは、カメラ筐体１１のＺプラス側の先端面に設けられる。カメラ筐体１１のＺプラス側の略中央部分には、レンズ鏡筒２０からの被写体光が通過する開口部１２が形成されている。カメラ筐体１１の背面側（Ｚマイナス側）には、液晶パネルからなる表示装置７０が取り付けられ、カメラ筐体１１の上面側（Ｙプラス側）には、電子ビューファインダー７５が取り付けられている。
【００１４】
レンズ鏡筒２０及びカメラ本体１０には、レンズ鏡筒２０のカメラ本体への装着を検知する検知部１８が設けられている。図１及び図２に示すように、検知部１８は、カメラ本体１０のカメラ側マウント部１０Ｍの外面に配置された接触センサ１４と、この接触センサ１４と対向するようにレンズ鏡筒２０のレンズ側マウント部２０Ｍに配置された接触センサ２４とによって形成されている。接触センサ１４、２４が接触することにより、レンズ鏡筒２０がカメラ本体１０に装着されたことが検知され、接触センサ１４、２４の接触状態が解除されることにより、レンズ鏡筒２０がカメラ本体１０から取り外されたこと、または取り外し動作が開始されたことが検知される。
【００１５】
撮像ボックス３０には、被写体光を電気信号に変換するＣＣＤ等の撮像素子３１が配置されている。撮像素子３１は、Ｚプラス側が前面ガラス３２Ａによって覆われたパッケージ３２に取り付けられている。パッケージ３２の前面には、ローパスフィルタ３８が配置されており、撮像素子３１の受光面に結像される被写体像にモアレが発生することが抑制されている。
【００１６】
パッケージ３２の背面側の周囲には、電子実装基板３３が設けられ、この電子実装基板３３がパッケージ３２と外部との電気的な接続を担っている。パッケージ３２及び電子実装基板３３は、その背面側に配置された後部基板３５Ｂに固定されている。後部基板３５Ｂは、矩形筒型の筐体３５にネジ３５Ｃにより固定され、撮像素子３１が筐体３５に固定された状態となる。
【００１７】
レンズ鏡筒２０の光学系を介して撮像ボックス３０の撮像素子３１に結像された被写体像は撮像素子３１によって電気信号に変換される。撮像素子３１によって光電変換された撮像データは、メイン制御部８１（図６参照）によって画像データとして信号処理される。信号処理された画像データは電子ビューファインダー７５及び表示装置７０に送られ、また、撮影時には、図示しない記録装置に記録される。
【００１８】
本実施形態のカメラ１は、機械式のシャッター装置を備えていない。撮影時における撮像素子３１に対する被写体光の露光時間（撮像素子３１が被写体光を蓄積する時間）の調整は、制御部が撮像素子３１を電気的に制御（電子シャッタ制御）して行う。また、露出制御は、制御部が撮像素子３１の出力に基づいて被写体光の輝度を測定（測光）し、この測光結果に基づいて自動露出制御（ＡＥ制御）する。このため、撮像素子３１は、測光センサとしての機能も兼ねている。
【００１９】
電子ビューファインダー７５は、撮像照射モジュール７６と、接眼光学系７７とを備えている。電子ビューファインダー７５は、撮像素子３１によって撮像したスルー画像を撮像照射モジュール７６に表示する。撮影者は、撮像照射モジュール７６に表示された画像を、接眼光学系７７を介して視認することができる。これにより、クイックリターンミラーを備えない構成であっても、いわゆる一眼レフのように撮像素子３１による撮像をリアルタイムで見ることができる。
【００２０】
表示装置７０は、撮像素子３１によって撮像したスルー画像を表示する液晶パネルを有している。液晶パネルを備えることにより、電子ビューファインダー７５を覗くことなく、表示装置７０が表示する撮像素子３１の撮像を見て撮影することもできる。また、表示装置７０は、カメラ１における各種機能の設定を行うための機能設定メニューや、シャッター速度、絞り及び露光補正情報などの使用者が操作部を介して入力した撮影に関する設定情報や撮像ボックス３０によって測定された測光情報などを表示する。さらに撮影画像やそのヒストグラム及び撮影情報などを表示する。
【００２１】
筐体３５におけるカメラ筐体１１の開口部１２に臨んだ被写体側（Ｚプラス側）の前壁部３５Ａには、被写体光が通過する円形の前面開口部３６が開口されている。筐体３５においては、前面開口部３６以外のその他全ての面が閉鎖状態となっている。
【００２２】
前面開口部３６には、その前面開口部３６の径よりわずかに小さい保護カバー４０が配置されている。保護カバー４０は、ガラス、透明樹脂などの透明材料によって所定厚さの円板形状に形成されている。これにより、被写体光は保護カバー４０を透過して撮像素子３１に入射することが可能となっている。
【００２３】
保護カバー４０は、その外周を全周にわたり円環形状の保持部材４２によって保持されている（図１、図２及び図３参照）。また、保持部材４２におけるＺマイナス側面と、筐体３５の前壁部３５ＡのＺマイナス側面との間には、連結部材４３が取り付けられている。連結部材４３は、ゴムや樹脂等の可撓性材料によってリング状となるように形成されている。連結部材４３は保護カバー４０と前壁部３５Ａとの間の隙間を封鎖し、且つ保護カバー４０を前面開口部３６に対して進退移動可能とする。筐体３５、保護カバー４０及び連結部材４３によって、周囲から隔離された密閉空間９０が撮像ボックス３０の内部に形成される。このように周囲から隔離された密閉空間９０が形成されるので、前面開口部３６から撮像ボックス３０の内部に塵芥が侵入することを阻止することができ、撮像素子３１への塵芥の付着を防止することができる。
【００２４】
図３、図４及び図５に、保護カバー４０を筐体３５の前面開口部３６に対して進退移動させる移動機構５０を示す。移動機構５０は、移動部材５１と、バネ５２と、アクチュエータ５７とによって構成されている。
【００２５】
移動部材５１は、２つの側面５１Ｃ及び５１Ｄを備えたＬ字状に屈曲されたアングル部材からなる。この移動部材５１に対応して筐体３５の外面には、Ｌ字状の凹部５３が形成されている。なお、側面５１Ｃが前面開口部３６側となる。移動部材５１の角部における上下面には、ピン部５１Ａが突出している。そして、筐体３５の凹部５３には、ピン孔５３Ａが形成されている。ピン孔５３Ａにピン部５１Ａが挿入されることにより移動部材５１は、ピン部５１Ａを支点として筐体３５に対して回転することができるようになっている。
【００２６】
移動部材５１における前面開口部３６側の側面５１Ｃには、切欠部５１Ｂが形成されており、この切欠部５１Ｂに保護カバー４０が取り付けられる。切欠部５１Ｂへの保護カバー４０の取り付けは、保持部材４２に連結ピン５４を突出させ、この連結ピン５４を側面５１Ｃに形成したピン孔５５に嵌入させることにより行うことができ、これにより保護カバー４０が移動部材５１に固定される。
【００２７】
バネ５２は、筐体３５の外面と、移動部材５１の側面５１Ｄとの間に挟まれるように配置されている。バネ５２は、側面５１Ｄを押すことにより、移動部材５１がピン部５１Ａを中心として図４における時計方向に回転するように付勢している。バネ５２の付勢によって移動部材５１が時計方向に回転すると、保護カバー４０が前面開口部３６から離れて前面開口部３６の後側に位置するように退避する（図２及び図５参照）。
【００２８】
アクチュエータ５７は、ステッピングモータ等により形成されており、その駆動によりバネ５２の付勢力に抗して移動部材５１を反時計方向に回転させる。この回転を行うため、アクチュエータ５７と移動部材５１との間にはカム部材５８が設けられている。カム部材５８は、楕円や長円等の非円形の外形となっており、アクチュエータ５７の出力軸が中央からずれた偏心位置に結合している。カム部材５８は、アクチュエータ５７からの回転力が伝達されることにより回転し、移動部材５１の側面５１Ｄを押す。これにより、移動部材５１はバネ５２に抗してピン部５１Ａを中心に反時計方向に回転する。移動部材５１が反時計方向に回転すると、保護カバー４０が進出して筐体３５の前面開口部３６に嵌り込む（図１及び図４参照）。これにより、カメラ１による撮影が可能となる。
【００２９】
図３、図４及び図５に示すように、筐体３５の外面には、ストッパ部材５９が設けられている。ストッパ部材５９は、Ｌ字状に形成されており、筐体３５の外面から突出している。ストッパ部材５９は、その先端部分が移動部材５１の側面５１Ｄに臨んでおり、バネ５２の付勢力によって移動部材５１が時計方向に回転したとき、側面５１Ｄが当接するように設けられている。このように側面５１Ｄがストッパ部材５９に当接することにより、移動部材５１のそれ以上の回転が停止する。このため、移動部材５１が不必要に回転することがなく、保護カバー４０が必要以上に筐体３５内に押し込まれることがない。なお、ストッパ部材５９は、省略することも可能であり、この場合には、バネ５２の付勢力を調整することにより保護カバー４０の必要以上の押し込みを防止することができる。
【００３０】
図６は、本実施形態の作動を行うためのブロック図を示す。カメラ本体１０は、メイン制御部８１を備え、レンズ鏡筒２０は、レンズ制御部８２を備える。メイン制御部８１は、表示装置７０や撮像素子３１、その他のカメラ１に備えられた各要素を統括的に制御する。レンズ制御部８２は、撮影レンズ２１の駆動を制御する。撮影レンズ２１を駆動するため、レンズ制御部８２と撮影レンズ２１との間には、レンズ駆動部８３が設けられている。
【００３１】
メイン制御部８１は、保護カバー制御部８５を備えている。保護カバー制御部８５は、接触センサ１４，２４からなる検知部１８からの信号によって移動機構５０を制御するものである。保護カバー制御部８５は、検知部１８がレンズ鏡筒２０の離脱を検知したとき、すなわちレンズ鏡筒２０がカメラ本体１０から取り外されているとき、又はレンズ鏡筒２０の取り外し動作が開始されたとき、保護カバー４０を筐体３５内に押し込むように移動機構５０を駆動する。一方、検知部１８がレンズ鏡筒２０を検知したとき、すなわちレンズ鏡筒２０がカメラ本体１０に装着されたとき、保護カバー制御部８５は、保護カバー４０が筐体３５の前面開口部３６内に嵌り込むように移動機構５０を駆動する。
【００３２】
保護カバー４０は、移動機構５０によって前面開口部３６に対して進退移動する。図６に示すように、カメラ本体１０には、保護カバー検知部８７が設けられる。保護カバー検知部８７は、保護カバー４０が前面開口部３６に嵌り込んだセット状態となることを検知するセンサである。保護カバー検知部８７の検出信号は、保護カバー制御部８５に出力される。保護カバー制御部８５は、この検出信号により保護カバーの移動機構５０の駆動を停止する。
【００３３】
図７は、本実施形態の作動を説明するフローチャートである。図７において、電源がＯＮされることにより、メイン制御部８１は、検知部１８を介してレンズ鏡筒２０がカメラ本体１０に装着されているか否かを判定する（ステップＳ１０）。
ステップＳ１０において、レンズ鏡筒２０が装着されていると判定したときは、ステップＳ１１に進み、レンズ鏡筒２０が装着されていないと判定したときはステップＳ１７に進む。ステップＳ１７は、保護カバー４０を筐体３５の前面開口部３６よりも後側に退避させるステップである。
【００３４】
ステップＳ１１では、電源のＯＮ、ＯＦＦ状態を判定し、電源がＯＦＦのときにはステップＳ１７に進み、電源がＯＮのときにはステップＳ１２に進む。ステップＳ１２は、レンズ鏡筒２０が交換されるか否かの判定を行うステップであり、検知部１８の接触センサ１４、２４が非接触となったとき、レンズ鏡筒２０の交換が開始されたと判定し、ステップＳ１３に進む。接触センサ１４、２４が接触状態の時には、レンズ鏡筒２０が交換されないと判定し、ステップＳ１６に進む。
【００３５】
ステップＳ１３は、ステップＳ１７と同様に、保護カバー４０が筐体３５の前面開口部３６よりも後側に退避するステップである。ステップＳ１３に続くステップＳ１４では、レンズ鏡筒２０の交換が終了したか否かを判定する。この判定は、ステップＳ１２と同様に、接触センサ１４、２４が非接触であるか接触しているかにより行う。ステップＳ１４において、レンズ交換が終了している場合には、ステップＳ１５に進む。
【００３６】
ステップＳ１５は、保護カバー４０が筐体３５の前面開口部３６に嵌り込んだセット位置となるように保護カバー４０が進出するステップである。ステップＳ１５の後には、カメラ１による撮影動作或いは撮影準備動作が可能となる（ステップＳ１６）。
【００３７】
ステップＳ１３及びステップＳ１７における保護カバー４０の退避においては、保護カバー４０が前面開口部３６の後側に位置するように移動機構５０が駆動する。この駆動は、保護カバー制御部８５がアクチュエータ５７を回転駆動することにより行われる。アクチュエータ５７が回転駆動することにより、図５に示すように、カム部材５８が回転してカム部材５８が移動部材５１から離れる。このため、バネ５２の付勢力により、移動部材５１がピン部５１Ａを中心に時計方向に回転する。この回転により、移動部材５１に保持されている保護カバー４０が前面開口部３６から後側に退避する。
【００３８】
ステップＳ１５における保護カバー４０のセット位置への進出においては、保護カバー制御部８５がアクチュエータ５７を反対方向に回転駆動する、アクチュエータ５７が反対方向に回転駆動することにより、カム部材５８が反対方向に回転してバネ５２の付勢力に抗して押すため、図４に示すように移動部材５１がピン部５１Ａを中心にして反時計方向に回転する。この回転により、移動部材５１に保持されている保護カバー４０が前面開口部３６側に進出して前面開口部３６に嵌り込み、撮影可能状態となる。
【００３９】
保護カバー４０が前面開口部３６に嵌り込んだセット位置では、保護カバー４０の外側面と撮像素子３１との間の距離がｄ１，保護カバー４０の外側面４０ｄからカメラ側マウント１０Ｍの基準面１０Ｍ−ａとの距離がｄ２となる(図１参照）。この距離ｄ１は、保護カバー４０の外側面４０ａに塵芥が付着していても、撮像素子３１への写り込みをなくす或いは軽減する値となるように設定される。従って、何らの原因で保護カバー４０の外側面４０ａに塵芥が付着していても、撮影画像には写ることがない。
【００４０】
以上、本実施形態によると、以下の効果を有する。
（１）レンズ鏡筒２０を交換するためにレンズ鏡筒２０をカメラ本体１０から取り外すと、保護カバー４０が前面開口部３６よりもＺマイナス側に移動して退避状態となる。このため、レンズ鏡筒２０をカメラ本体１０に装着する際に、カメラ側マウント１０Ｍの基準面１０Ｍ−ａと、保護カバー４０の外側面４０ａとの離隔距離ｄ２が大きくなる。従って、レンズ鏡筒２０を傾けてレンズ本体１０に装着しても、レンズ側マウント部２０Ｍが保護カバー４０と接触することがなくなる。
（２）保護カバー４０が退避状態の際に、レンズ鏡筒２０をカメラ本体１０に装着すると、保護カバー４０が進出して筐体３５の前面開口部３６に嵌り込むため、撮影が可能となる。
（３）保護カバー４０の退避位置への移動及びセット位置への移動が、レンズ鏡筒２０の本体部１０への着脱に対応して自動的に行われるため、保護カバー４０の移動のための操作が不要となり、操作性が向上する。
【００４１】
（第２実施形態）
図８は、本発明の第２実施形態における断面図であり、第１実施形態における図４に対応している。
【００４２】
この実施形態の保護カバー４０は、ガイド部材９１を備えている。ガイド部材９１は、保護カバー４０が嵌め込まれる筒部９２と、筒部９２から径方向に広がるフランジ部９３とを有している。図示を省略するが、ガイド部材９１の全体は、第１実施形態で示す移動機構５０と同様な移動機構に連結されており、移動機構の駆動により筐体３５の前面開口部３６内を光軸に沿って前後移動する。この移動においては、筒部９２が前面開口部３６から外れることなく前面開口部３６内を移動するものであり、このような移動が可能となるように筒部９２の長さが設定される。
【００４３】
保護カバー４０は、光軸Ａと垂直となるように筒部９２内に固定されている。又、筒部９２は、筐体３５の前面開口部３６に挿入される径となるように形成されている。この場合、筒部９２の外周面が前面開口部３６の内周面と近接するように筒部９２の径が設定されるものであり、このように外周面が前面開口部３６の内周面と近接することにより筒部９２、すなわち保護カバー４０が光軸Ａに対して垂直を保った状態を維持することができる。
【００４４】
フランジ部９３は、筒部９２における撮像素子３１側の端部（Ｚマイナス側の端部）に一体的に形成されている。フランジ部９３には、第１実施形態と同様の可撓材料からなるリング状の連結部材４３の一端部が接合されている。フランジ部９３は、前面開口部３６の径よりも大きな径となっており、ガイド部材９１がレンズ鏡筒２０側に進出する際に、筐体３５の前壁部３５Ａに当接する。これにより、ガイド部材９１の必要以上の進出を防止できる。
【００４５】
この第２実施形態では、ガイド部材９１が光軸Ａに垂直状となって進退するため、保護カバー４０も光軸Ａに対して垂直状となって進退することができる。
【００４６】
（変形形態）
以上、説明した実施形態に限定されることなく、以下に示すような種々の変形や変更が可能であり、それらも本発明の範囲内である。
（１）本実施形態では、保護カバー４０を移動させる移動機構５０として移動部材５１、バネ５２、アクチュエータ５７を用いているが、これに限らず、ラックピニオン等の他の機構であってもよい。
（２）また、本実施形態では、レンズ鏡筒２０のカメラ本体１０への装着を接触センサ１４、２４からなる検知部により検知しているが、これに限らず、光学センサで検知してもよい。
なお、実施形態及び変形形態は、適宜組み合わせて用いることもできるが、詳細な説明は省略する。また、本発明は以上説明した実施形態によって限定されることはない。
【符号の説明】
【００４７】
１：カメラ、１０：カメラ本体、２０：レンズ鏡筒、３０：撮像ボックス、３１：撮像素子、３５：筐体、３６：前面開口部、４０：保護カバー、４２：保持部材、４３：連結部材、５０：移動機構、５１：移動部材、５２：バネ、５７：アクチュエータ、８１：メイン制御部、８５：保護カバー制御部、９１：ガイド部材
【図１】
2010161569.tif 000003
【図２】
2010161569.tif 000004
【図３】
2010161569.tif 000005
【図４】
2010161569.tif 000006
【図５】
2010161569.tif 000007
【図６】
2010161569.tif 000008
【図７】
2010161569.tif 000009
【図８】
2010161569.tif 000010